(57)【要約】【課題】  予約ジョブ時における用紙入れ替えもれの発生を防止する。【解決手段】  予約ジョブを設定する予約ジョブ設定手段と、用紙トレイごとに用紙情報を入力する用紙情報入力手段と、用紙トレイの用紙情報設定変更を行う前後の用紙情報を記憶・比較する用紙情報記憶手段と、用紙トレイの挿脱を検知するトレイ挿抜検知手段とを有していて、用紙情報設定が変更されたのち用紙トレイの抜き差しがないとトレイ挿抜検知手段が検知したときは予約ジョブのスタート時に用紙確認又は用紙入れ替えを促すメッセージを表示する。【選択図】        図４
2005144927.tif 000002
【特許請求の範囲】
【請求項１】
原稿の画像データを読み取る画像読み取り手段と、読み取った画像データを記憶する画像記憶手段と、画像形成を行う画像形成手段と、複数の用紙トレイとを有し、制御部からの指示によって何れかの選択された用紙トレイから排出する用紙に対して記憶された画像データの画像形成を行う画像形成装置において、
予約ジョブを設定する予約ジョブ設定手段と、用紙トレイごとに用紙の用紙情報を入力する用紙情報入力手段と、用紙トレイの用紙情報設定変更を行う前後の用紙情報を記憶する用紙情報記憶手段と、用紙トレイの挿抜を検知するトレイ挿抜検知手段とを有していて、
制御部は用紙情報設定が変更されたのち用紙トレイの抜き差しがないとトレイ挿抜検知手段が検知したときは予約ジョブのスタート時に用紙確認又は用紙入れ替えを促すメッセージを表示することを特徴とする画像形成装置。
【請求項２】
原稿の画像データを読み取る画像読み取り手段と、読み取った画像データを記憶する画像記憶手段と画像形成を行う画像形成手段と、複数の用紙トレイとを有し、制御部からの指示によって何れかの選択された用紙トレイから排出する用紙に対して記憶された画像データの画像形成を行う画像形成装置において、
予約ジョブを設定する予約ジョブ設定手段と、用紙トレイごとに用紙の用紙情報を入力する用紙情報入力手段と、用紙設定画面に用紙入れ替え有無を入力する用紙入れ替え有無入力手段とを有していて、
制御部は予約ジョブスタート時に用紙入れ替え有無入力手段の入力結果によって、用紙確認又は用紙入れ替えを促すか、或いはジョブスタートを行うかの判断を行うことを特徴とする画像形成装置。
【請求項３】
前記用紙情報入力手段により入力する設定対象トレイ数は単数又は複数の何れかを選択可能としたことを特徴とする請求項１又は２に記載の画像形成装置。
【発明の詳細な説明】
【技術分野】
【０００１】
本発明は読み取った画像データを用紙上に記録する画像形成装置に関わり、特に複数の用紙トレイを設けて各種の目的とする用紙に対して画像記録を行う画像形成装置に関する。
【背景技術】
【０００２】
複写機は機能の向上に伴い、印刷業界においても利用されるようになって来た。デジタル画像形成装置では画像読み取り手段と画像形成手段とを非同期に動作させて画像形成を行うが、画像形成中においても、操作部において次の印刷ジョブに対する機能設定を行い、次の印刷ジョブの原稿の読み取りを行って、現在実行中の印刷ジョブが終了した時点で、次の予め予約された印刷ジョブを実行するいわゆるコピー予約機能を有する画像形成装置が提案され、実施されるようになった。
【０００３】
そして更に予約ジョブ印刷の稼働効率を向上させることを目的として、例えば特許文献１には現在実行中の印刷ジョブが終了した際に、次に実行されるべき予約印刷ジョブに使用される用紙の有無を確認する機能と、当該予約印刷ジョブに使用される用紙が無い場合には印刷可能な他の予約印刷ジョブの有無を確認する機能とを有していて印刷可能な他の予約印刷ジョブが存在する場合には予約順の入れ替えを行うことが記載されている。
【特許文献１】特開２００１−２０３８５１号公報
【発明の開示】
【発明が解決しようとする課題】
【０００４】
複写機が印刷業界で使用される場合には、従来の複写機では使用されなかった多種多様な紙種が使用されるようになり、装置内の用紙トレイに対する入力用紙情報も用紙サイズのみでは不充分で、印刷ユース紙種・斤量などの情報が必要となって来た。このような事情はオフィスユースでは用紙サイズが合っていれば紙種は問わないのが普通であったが、印刷業界では要求は厳しく、用紙サイズだけではなく紙種・斤量などが要求に合致していることが求められることから生じている。
【０００５】
画像形成装置では複数段の用紙トレイを有していて、その何れかの用紙トレイ内の用紙に対して画像記録を行っているが、使用される用紙のサイズや紙種・斤量などが多岐にわたることから、用紙トレイ内にはジョブ印刷に用いようとする用紙が収納されていないケースが多く、予約ジョブ実行時に用紙入れ替え動作を行うケースが頻発する。用紙入れ替え時に用紙入れ替えもれがあると、用紙違いとなって時間や資材等の浪費となる。
【０００６】
本発明の目的は、予約ジョブ時における用紙入れ替えもれの発生を防止した画像形成装置を提供することにある。
【課題を解決するための手段】
【０００７】
上記の課題を解決し、かつ目的を達成するために本発明は以下のように構成している。
【０００８】
請求項１記載の発明は、「原稿の画像データを読み取る画像読み取り手段と、読み取った画像データを記憶する画像記憶手段と、画像形成を行う画像形成手段と、複数の用紙トレイとを有し、制御部からの指示によって何れかの選択された用紙トレイから排出する用紙に対して記憶された画像データの画像形成を行う画像形成装置において、
予約ジョブを設定する予約ジョブ設定手段と、用紙トレイごとに用紙の用紙情報を入力する用紙情報入力手段と、用紙トレイの用紙情報設定変更を行う前後の用紙情報を記憶する用紙情報記憶手段と、用紙トレイの挿抜を検知するトレイ挿抜検知手段とを有していて、
制御部は用紙情報設定が変更されたのち用紙トレイの抜き差しがないとトレイ挿抜検知手段が検知したときは予約ジョブのスタート時に用紙確認又は用紙入れ替えを促すメッセージを表示することを特徴とする画像形成装置」である。
【０００９】
請求項２記載の発明は、「原稿の画像データを読み取る画像読み取り手段と、読み取った画像データを記憶する画像記憶手段と画像形成を行う画像形成手段と、複数の用紙トレイとを有し、制御部からの指示によって何れかの選択された用紙トレイから排出する用紙に対して記憶された画像データの画像形成を行う画像形成装置において、
予約ジョブを設定する予約ジョブ設定手段と、用紙トレイごとに用紙の用紙情報を入力する用紙情報入力手段と、用紙設定画面に用紙入れ替え有無を入力する用紙入れ替え有無入力手段とを有していて、
制御部は予約ジョブスタート時に用紙入れ替え有無入力手段の入力結果によって、用紙確認又は用紙入れ替えを促すか、或いはジョブスタートを行うかの判断を行うことを特徴とする画像形成装置」である。
【００１０】
請求項３記載の発明は、「前記用紙情報入力手段により入力する設定対象トレイ数は単数又は複数の何れかを選択可能としたことを特徴とする請求項１又は２に記載の画像形成装置」である。
【発明の効果】
【００１１】
請求項１又は２記載の発明によるときは、従来操作表示部に入力する特定カセット内に収納する用紙の指定と、指定した用紙を特定カセット内に装填する用紙の入れ替え動作との間では関連がないことから操作表示部に新たな用紙の表示を行いながら、しばしば用紙の入れ替え動作を行わない入れ替えもれの状態でジョブ印刷を行っていたのが防止されて、ジョブ時の用紙違いによる時間や資材等の浪費を防止する効果を奏することとなった。
【００１２】
請求項３記載の発明によるときは、従来は操作表示部で入力される用紙情報は用紙トレイ１段ごとに行い、次のジョブ印刷でのコピー量が多い場合には複数の用紙トレイについて同じ用紙情報を繰り返し入力していたのが改善されて入力作業が効率的となる効果が生じた。更に画像形成装置に複数トレイに同一用紙情報が設定入力されたのを記憶する機能を与え、１段目の用紙トレイ内の用紙を使い果したときは、引き続いて同時入力された他の用紙トレイ内の用紙を用いてコピーするよう制御を行う構成とすることによって、本発明の効果を更に高めることとなる。
【発明を実施するための最良の形態】
【００１３】
以下本発明の実施の形態の一例を図面を用いて説明する。
【００１４】
（１）  図１は電子写真方式を利用して作像するデジタル方式の画像形成装置の構成を示す模式図である。
【００１５】
図において、画像形成装置１は、画像読み取り部Ａ、画像処理部Ｂ、画像形成部Ｃ、転写材給紙部Ｄを有する。
【００１６】
画像読み取り部Ａの上部には原稿を自動搬送する自動原稿送り手段が設けてあり、原稿載置台１１上に載置される原稿Ｇを分離手段（参照符号無し）で１枚づつ分離し、分離された原稿の画像読み取りを、原稿搬送ローラ１２の下部に該当する読み取り位置１３ａを介して行うようになっている。
【００１７】
画像読み取りは、画像読み取り部Ａに設けた後述する光学系により行う。
【００１８】
読み取られた原稿Ｇは原稿搬送ローラ１２を含む搬送手段により更に下流に搬送され、原稿排紙皿１４上に排出される。
【００１９】
原稿Ｇが両面に画像を有する場合であって、その両面画像を読み取る場合には、第１面が読み取られた原稿Ｇを反転手段（参照符号無し）で反転した後、再度、前記読み取り位置１３ａにて読み取り、しかる後、前記原稿排紙皿１４上に排出する。
【００２０】
また、前記自動原稿送り手段は可倒式となっており、当該自動原稿送り手段を持ち上げてプラテンガラス１３上に載置した原稿Ｇの画像を読み取る場合、前記画像読み取り部Ａの光学系の一部を移動させることにより行う。
【００２１】
画像読み取り手段は、照明ランプ及び第１ミラーを有する第１ミラーユニット１５と、相対的にＶ字状に配置した第２ミラー及び第３ミラーを有する第２ミラーユニット１６と、前記第３ミラーの反射光路上に固定して設けた投影レンズ１７およびラインセンサである撮像素子ＣＣＤを含む。
【００２２】
画像読み取りは、自動原稿送り手段により送られる原稿Ｇに対しては、前記第１ミラーを画像読み取り位置１３ａの下方に位置するように前記第１ミラーユニット１５を位置固定するとともに、当該第１ミラーユニットに対して所定距離離れた位置に前記第２ミラーユニット１６を位置固定して行い、一方、プラテンガラス１３上に載置された原稿Ｇに対しての読み取りは、前記第１ミラーユニット１５および第２ミラーユニット１６を２：１の速度比で同方向（図において左から右方向）に移動させることにより行う。
【００２３】
読み取られた画像は、前記投影レンズ１７を通して撮像素子ＣＣＤの受光面に結像される。
【００２４】
撮像素子ＣＣＤ上に結像された光学像は順次電気信号（輝度信号）に光電変換されたのちＡ／Ｄ変換され、画像処理部Ｂにおいて濃度変換、フィルタ処理などの処理が施された後、画像データとして、一旦、メモリに記憶される。
【００２５】
画像形成部Ｃには、ドラム状の感光体からなる像担持体（以下、感光体という）２１、および、前記感光体２１の外周に沿って設けた、帯電器２２、現像装置２３、転写装置２４、分離器２５、クリーニング装置２６、光除電手段としてのＰＣＬ（プレチャージランプ）２７を配設してある。
【００２６】
感光体２１は、光導電性化合物をドラム基体上に塗布形成したもので、例えば、有機感光体（ＯＰＣ）が好ましく使用され、図示の時計方向に駆動回転される。
【００２７】
静電荷潜像の形成は、帯電器２２により一様に帯電を行った後の前記感光体２１の表面に、前記画像処理部Ｂのメモリから呼び出された画像信号に基づく露光を順次行うことによりなされる。
【００２８】
書き込み手段である露光光学系３０は、図示しないレーザダイオードを発光光源とし、回転するポリゴンミラー３１、ｆθレンズ３４、シリンドリカルレンズ３５および反射ミラー３２、３３を有し、これら光学系で主走査がなされる。
【００２９】
参照符号Ａｏは像露光位置を示し、副走査は前記感光体２１の回転によりなされる。
【００３０】
感光体２１上に形成された静電荷潜像は、現像装置２３の作動に起因する、磁性キャリアと非磁性トナーとを含む二成分現像剤の接触現像によって反転現像され、トナー像に変換される。
【００３１】
転写材給紙部Ｄには、それぞれにジョブ印刷に用いられる転写材（以下、用紙という）Ｐを収納した用紙トレイ４１（Ａ）、４１（Ｂ）、４１（Ｃ）、４１（Ｄ）、が設けられており、それらの何れかから選択された転写紙Ｐは送り出しローラ（用紙搬送手段）４２（Ａ）、４２（Ｂ）、４２（Ｃ）、４２（Ｄ）および分離ローラ等公知の手段により用紙トレイから送り出され、案内ローラ４３により搬送路４０に沿って搬送され、レジストローラ対４４に達し、当該レジストローラ対４４の回転開始に伴って再給紙され、転写前ローラ４３ａやガイド板４６を介して転写領域に向け搬送される。
【００３２】
感光体２１上に形成されたトナー像は、転写領域に設けてある転写装置（転写手段）２４の作用によって用紙Ｐ上に転写され、次いで分離器（分離手段）２５の作用を受けて感光体２１から分離し、搬送手段４５により定着装置５０に向けて搬送される。
【００３３】
定着装置５０は定着ローラ５１と加圧ローラ５２とを有しており、用紙Ｐが両ローラ間を通過する際に、加熱・加圧を加え、以て、トナーを用紙Ｐ上に溶融定着させる。
【００３４】
トナー画像が定着された転写紙Ｐは排紙ローラ６３を介して、排紙トレイ６４上に排出される。
【００３５】
以上は、転写紙の片面への画像形成を行う場合の説明であり、一方、本実施の形態の画像形成装置１は転写紙の両面に画像形成を行い得るとともに、排紙トレイへの転写紙の排出も反転排出できる構成を有しているが、本発明に直接関係がないので説明は省略する。
【００３６】
図２には図１を用いて説明した画像形成装置に設けた操作表示部のレイアウト図である。操作表示部７０には液晶タッチパネル７１、テンキー７２、スタートキー７３等が設けられていて、テンキー７２によって入力されたコピー部数は表示部７２ａに表示され、スタートキー７３を押下するとコピー動作が開始される。
【００３７】
（２）  請求項１の発明について説明する。
【００３８】
図３には電気制御系の概要を示している。１０１は演算制御処理を行うＣＰＵで画像形成プログラムをはじめ本発明の用紙設定動作プログラムを記憶したメモリ１０２、画像形成読み取り手段１１２によって読み取った画像信号を画像処理を行ったのち画像データとして記憶する画像メモリ１０３、各用紙トレイ内に収納された用紙のサイズ・種類等を記憶する用紙トレイ内容メモリ１０４、操作表示部７０に設けられたタッチ入力を可能とする液晶ディスプレイ７１とキー入力部が接続されている。またＣＰＵ１０１はインターフェース１１０を介して外部機器に接続されている。
【００３９】
インターフェース１１０には既に図１によって説明したＡＤＦ１１１、画像読み取り手段１１２、画像形成手段１１３が接続され、用紙トレイ４１（Ａ）、４１（Ｂ）、４１（Ｃ）、４１（Ｄ）の各々に設けられた用紙トレイ内の用紙を１枚宛分離搬送する用紙搬送手段４２（Ａ）、４２（Ｂ）、４２（Ｃ）、４２（Ｄ）と、用紙の用紙トレイへの装填或いは用紙の交換の際行われる用紙の挿抜を検知する挿抜検知センサＳＴ（Ａ）、ＳＴ（Ｂ）、ＳＴ（Ｃ）、ＳＴ（Ｄ）がそれぞれが接続されている。
【００４０】
ジョブ印刷時にはＡＤＦ１１１に原稿を装填し、液晶ディスプレイ７１に表示された用紙サイズ・種類中から希望する用紙を収納した用紙トレイ４１をタッチ入力し、テンキー７２によってコピー部数を設定したのちスタートキー７３を押下することによって、制御部１００はＡＤＦ１１１を作動させて原稿を画像読み取り部へと搬送する。
【００４１】
搬送された原稿の画像情報は画像読み取り手段１１２によって読み取られ、画像処理がなされたのち、画像メモリ１０３に記憶される。タッチ入力された用紙トレイ４１からは用紙搬送手段４２によって用紙が搬送され、制御部１００は画像メモリ１０３に記憶された画像データを呼び出し、画像形成手段１１３によって搬送される用紙上に画像記録を行い、かかる動作を設定部数だけ実行している。
【００４２】
本発明は液晶ディスプレイ７１上で予約ジョブをタッチ入力する予約ジョブ設定手段と液晶ディスプレイ７１上で用紙トレイごとに用紙のサイズ・種類・斤量などの情報を入力する用紙情報入力手段と、用紙トレイ内容メモリ１０４を用いて用紙トレイの用紙情報設定変更を行う前後の用紙情報を比較する用紙情報記憶手段と、挿抜検知センサＳＴとを有していて、制御部１００は用紙情報設定が変更されたのち用紙トレイ４１の挿抜がないと挿抜検知センサＳＴが検知したときは予約ジョブのスタート時に用紙確認又は用紙入れ替えを促すメッセージを液晶ディスプレイ７１に表示する。
【００４３】
図４は本発明の用紙設定を行う予約ジョブ動作フローを示している。
【００４４】
予約ジョブがスタートすると（Ｆ１）、制御部１００は用紙トレイ内容メモリ１０４に記憶された用紙トレイ４１に設定された用紙のサイズ・種類・斤量と新たに当該用紙トレイ４１に設定された用紙のサイズ・種類・斤量の間で変更があるか否かの比較を用い（Ｆ２）、用紙変更がなかったと検出したときは（Ｆ２、ＮＯ）予約ジョブは現行のジョブに続いて実行される（Ｆ５）。また、用紙変更があったと検出したときは（Ｆ２、ＹＥＳ）、新たに用紙設定がなされたのち当該用紙トレイ４１の挿抜検知センサＳＴが用紙トレイ４１の抜き差しがあったか否かのチェックを行い（Ｆ３）、抜き差し有りと検知したとき（Ｆ３、ＹＥＳ）、設定された予約ジョブは現行のジョブに続いて実行される（Ｆ４）。また当該用紙トレイ４１の抜き差しが無かったと検知したときは（Ｆ３，ＮＯ）、制御部１００は予約ジョブを実行に移行することなく、予約ジョブのスタート時に液晶ディスプレイ７１に当該用紙トレイ４１内に装填されている用紙が液晶ディスプレイ７１に表示された用紙と異なる旨のメッセージ、又は用紙入れ替えを促すメッセージの表示を行う。
【００４５】
実施例について説明する。
【００４６】
図５は液晶ディスプレイ７１に表示される基本画面を示している。本発明では基本画面の用紙選択欄にトレイ番号とそのトレイ番号の用紙トレイ内に収納される用紙のサイズ・種類・斤量などの用紙情報が表示されている。
【００４７】
スタートキー７３が押下されると、基本画面上で予め入力し設定された画面形成条件で予め入力し設定された用紙（トレイ４、用紙サイズＡ４、紙種普通紙、斤量６２〜７１ｇ）上に画像記録が行われて現コピージョブの出力を開始し、図５に示すような「コピーしています」の表示がなされる。
【００４８】
現コピージョブの出力中には、次コピージョブのための画像形成条件の設定が可能であって、「コピー予約」のフォルターキーをタッチ入力することによってコピー予約の基本画面に変わる。コピー予約の基本画面は図５に示した基本画面と殆ど同じで現コピージョブでの設定条件が消去されていてかかる予約ジョブ設定手段によって、操作表示部７０の入力手段は総て次コピージョブ予約のために機能するようになる。
【００４９】
ここでユーザは次コピージョブの条件設定を行う。次コピージョブで用いる用紙が図５に示されたうちの何れかを用いるときは、当該用紙表示部をタッチ入力することによって設定されるが、用紙については多種類あるため４台の用紙トレイ内に入っていないケースが多い。この場合には「用紙選択」のフォルターキーのタッチ入力を行う。
【００５０】
上記「用紙選択」のタッチ入力によって、液晶ディスプレイ７１には図６に示す予約用紙入れ替え表示のための用紙選択画面が表示される。表示時には、上段には現コピージョブの用紙設定状況が表示され、下段にはトレイ、サイズ、紙種／斤量、設定用の表示がなされていて、トレイ設定には単数又は同時に複数のトレイの設定変更が可能となっている。図示した画面は、タッチ入力を用いる用紙情報入力手段によって、現コピー時の用紙表示（トレイ３、用紙サイズＡ４、紙種塗工紙、斤量６２〜７１ｇ）から予約コピー時の用紙表示（トレイ３、用紙サイズＡ４、紙種厚紙、斤量１６２〜２１１ｇ）に表示変更を行ったところを示している。
【００５１】
予約用紙の入れ替えを表示の動作が終ると、表示画面は図７に示すコピー予約の基本画面が表示され、この画面は現コピージョブが終了するまで継続する。
【００５２】
現コピージョブが終了すると、既に図４のフローによって説明したところに従って制御部１００は予約ジョブの動作（Ｆ１）を行う。本実施例においてはＣＰＵ１０１は用紙トレイ内容メモリ１０４から現コピージョブでの設定用紙（トレイ３、用紙サイズＡ４、紙種塗工紙、斤量６２〜７１ｇ）を呼び出し、予約ジョブでの設定用紙（トレイ３、用紙サイズＡ４、紙種厚紙、斤量１６２〜２１１ｇ）とを比較し（Ｆ２）、用紙変更ありと認めると、用紙トレイ（３）部分に設けた挿抜検知センサＳＴ（Ｃ）がトレイの抜き差し動作がなされたか否かの検出を行う（Ｆ３）。
【００５３】
トレイ３の抜き差し動作がなされたと検出されたときは、現コピージョブの終了に続いて、図７のコピー予約画面で入力されている画像形成条件によってトレイ３内に収納された厚紙を用紙搬送手段４２（Ｃ）によって１枚宛搬出し、画像記録を行うジョブ印刷がなされる（Ｆ４）。また、表示画面についても図７に示したコピー予約の基本画面は画面はそのままで現コピージョブ動作中の画面となる。
【００５４】
挿抜検知センサＳＴ（Ｃ）によってトレイ３の抜き差し動作がなされなかったと検出されたときは制御部１００は予約ジョブの実行を禁止すると共に液晶ディスプレイ７１に「トレイ３の用紙交換はまだ終っていません。厚紙に交換してください」の表示が行われる。
【００５５】
（３）  請求項２の発明について説明する。
【００５６】
図８には電気制御系の概要を示している。１０１は演算制御処理を行うＣＰＵで、画像形成プログラムをはじめ本発明の用紙設定動作プログラムを記憶したメモリ１０２、画像読み取り手段１１２によって読み取った画像信号を画像処理を行ったのち画像データとして記憶する画像メモリ１０３、各用紙トレイ内に収納された用紙のサイズ・種類等を記憶する用紙トレイ内容メモリ１０４、操作表示部７０に設けられたタッチ入力を可能とする液晶ディスプレイ７１とキー入力部が接続されている。またＣＰＵ１０１はインターフェース１１０を介して外部機器に接続されている。
【００５７】
インターフェース１１０には既に図１によって説明したＡＤＦ１１１、画像読み取り手段１１２、画像形成手段１１３が接続され、用紙トレイ４１（Ａ）、４１（Ｂ）、４１（Ｃ）、４１（Ｄ）の各々に設けられた用紙トレイ内の用紙を１枚宛分離搬送する用紙搬送手段４２（Ａ）、４２（Ｂ）、４２（Ｃ）、４２（Ｄ）が接続されている。
【００５８】
ジョブ印刷時には、ＡＤＦ１１１に原稿を装填し、液晶ディスプレイ７１に表示された用紙サイズ・種類中から希望する用紙を収納した用紙トレイ４１をタッチ入力し、テンキー７２によってコピー部数を設定したのちスタートキー７３を押下することによって、制御部１００はＡＤＦ１１１を作動させて原稿を画像読み取り部へと搬送する。
【００５９】
搬送された原稿の画像情報は画像読み取り手段１１２によって読み取られ、画像処理がなされたのち、画像メモリ１０３に記載される。タッチ入力された用紙トレイ４１からは用紙搬送手段４２によって用紙が搬送され、制御部１００は画像メモリ１０３に記憶された画像データを呼び出し、画像形成手段１１３によって搬送される用紙上に画像記録を行い、かかる動作を設定部数だけ実行している。
【００６０】
本発明は、液晶ディスプレイ７１上で予約ジョブをタッチ入力する予約ジョブ設定手段と液晶ディスプレイ７１上で用紙トレイごとに用紙のサイズ・種類・斤量などの情報を入力する用紙情報入力手段と、用紙トレイ内容メモリ１０４を用いて用紙トレイの用紙情報設定変更を行う前後の用紙情報を比較する用紙情報記憶手段と、用紙設定画面に用紙入れ替え有無を入力する用紙入れ替え有無入力手段とを有していて、制御部１００は用紙情報設定が変更されたのち用紙入れ替え有無入力手段の入力結果によって予約ジョブのスタート時に用紙確認又は用紙入れ替えを促すメッセージを液晶ディスプレイ７１に表示する。
【００６１】
図９は本発明の用紙設定を行う予約ジョブの動作フローを示している。
【００６２】
予約ジョブがスタートすると（Ｆ１）、制御部１００は用紙トレイ内容メモリ１０４に記憶された用紙トレイ４１に設定された用紙のサイズ・種類・斤量と新たに当該用紙トレイ４１に設定された用紙のサイズ・種類・斤量の間で変更があるか否かの比較を用い（Ｆ２）、用紙変更がなかったと検出したときは（Ｆ２、ＮＯ）予約ジョブは現行のジョブに続いて実行される（Ｃ５）。また、用紙変更があったと検出したときは（Ｆ２、ＹＥＳ）、用紙入れ替え有無入力手段で用紙の入れ替え設定が有りの状態にあるか否かのチェックを行い（Ｆ３）、用紙入れ替え設定無しと検知したときは（Ｆ３、ＮＯ）、設定された予約ジョブは現行のジョブに続いて実行される（Ｆ６）。また、当該用紙トレイ４１の用紙入れ替え設定有りの状態にあると検知したときは（Ｆ３、ＹＥＳ）、制御部１００は予約ジョブを実行に移行することなく、予約ジョブのスタート時に液晶ディスプレイ７１に当該用紙トレイ４１内に装填されている用紙が液晶ディスプレイ７１に表示された用紙と異なる旨のメッセージ、又は用紙入れ替えを促すメッセージの表示を行う。
【００６３】
実施例について説明する。
【００６４】
図１０は液晶ディスプレイ７１に表示される基本画面を示している。本発明では基本画面の用紙選択欄にトレイ番号とそのトレイ番号の用紙トレイ内に収納される用紙のサイズ・種類・斤量などの用紙情報と共に用紙入れ替え設定の有無が表示され、図１０においては用紙入れ替え設定無しの状態を示している。
【００６５】
スタートキー７３が押下されると、基本画面上で予め入力し設定された画像形成条件で予め入力し設定された用紙（トレイ４、用紙サイズＡ４、紙種普通紙、斤量６２〜７１ｇ）上に画像記録が行われて現コピージョブの出力を開始し、図１０に示すような「コピーしています」の表示がなされる。
【００６６】
現コピージョブの出力中には、次コピージョブのための画像形成条件の設定が可能であって、「コピー予約」のフォルターキーをタッチ入力することによってコピー予約の基本画面に変わる。コピー予約の基本画面は図１０に示した基本画面と殆んど同じで現コピージョブでの設定条件が消去されていて、かかる予約ジョブ設定手段によって操作表示部７０の入力手段は総て次コピージョブ予約のために機能するようになる。
【００６７】
ここでユーザは次コピージョブの条件設定を行う。次コピージョブで用いる用紙が図１０に示されたうちの何れかを用いるときは、当該用紙表示部をタッチ入力することによって設定されるが、用紙については多種類あるため４台の用紙トレイ内に入っていないケースが多い。この場合には「用紙選択」のフォルターキーのタッチ入力を行う。
【００６８】
上記「用紙選択」のタッチ入力によって、液晶ディスプレイ７１には図１１に示す予約用紙入れ替え表示のための用紙選択画面が表示される。表示部には、上段には現コピージョブの用紙設定状況が表示され、下段にはトレイ、サイズ、紙種／斤量、設定用の表示と共に用紙入れ替え設定の状況表示がなされていて、トレイ設定には単数又は同時に複数のトレイの設定変更が可能となっていて、予約ジョブに多数枚の用紙を用いるときは複数のトレイに同一種の用紙を同時に表示可能となっている。図示した画面はタッチ入力を用いる用紙情報入力手段によって、現コピー時の用紙表示（トレイ１、２、用紙サイズＡ３、紙種塗工紙印刷、斤量７２〜９１ｇ）から予約コピー時の用紙表示（トレイ１、２、用紙サイズＡ３、紙種上質紙、斤量７２〜９１ｇ）に表示変更を行ったところを示している。また、本実施例においては用紙入れ替え設定欄が設けられていて、用紙入れ替えが終ったか否かの設問があって、ＹＥＳの応答によって「あり」の設定が消える。
【００６９】
予約用紙の入れ替え表示の動作が終ると、表示画面は図１２に示すコピー予約の基本画面が表示され、この画面は現コピージョブが終了するまで継続する。
【００７０】
現コピージョブが終了すると、既に図９のフローによって説明したところに従って制御部１００は予約ジョブの動作（Ｆ１）を行う。本実施例においてはＣＰＵ１０１は用紙トレイ内容メモリ１０４から現コピージョブでの設定用紙（トレイ１、２、用紙サイズＡ３、紙種塗工紙印刷、斤量７２〜９１ｇ）を呼び出し、予約ジョブでの設定用紙（トレイ１、２、用紙サイズＡ３、紙種上質紙、斤量７２〜９１ｇ）とを比較し（Ｆ２）、用紙変更ありと認めると、用紙入れ替え設定有りか否かの検出を行う（Ｆ３）。
【００７１】
用紙入れ替えが無し（既に用紙入れ替え動作が終っている）と検出されたときは、現コピージョブの終了に続いて、図１２のコピー予約画面で入力されている画像形成条件によってトレイ１内に収納された上質紙を用紙搬送手段４２（Ａ）によって１枚宛搬出し、画像記録を行うジョブ印刷がなされトレイ１内の上質紙が総て使用されると、引き続いてトレイ２内の上質紙が用いられる（Ｆ４）。また、表示画面についても図１２に示したコピー予約の基本画面は画面はそのままで現コピージョブ動作中の画面となる。
【００７２】
用紙入れ替え有り（用紙入れ替え動作は終っていない）と検出されたときは、制御部１００は予約ジョブの実行を禁止すると共に液晶ディスプレイ７１に「トレイ１、２の用紙交換はまだ終っていません。上質紙に交換して下さい」の表示が行われる。
【図面の簡単な説明】
【００７３】
【図１】画像形成装置の構成を示す模式図。
【図２】操作表示部のレイアウト図。
【図３】電気制御系の概要図（請求項１）。
【図４】予約ジョブの動作フロー図（請求項１）。
【図５】表示されるコピー中の基本画面（請求項１）。
【図６】予約の用紙選択画面（請求項１）。
【図７】表示されるコピー予約の基本画面（請求項１）。
【図８】電気制御系の概要図（請求項２）。
【図９】予約ジョブの動作フロー図（請求項２）。
【図１０】表示されるコピー中の基本画面（請求項２）。
【図１１】予約の用紙選択画面（請求項２）。
【図１２】表示されるコピー予約の基本画面（請求項２）。
【符号の説明】
【００７４】
４１  用紙トレイ
４２  用紙搬送手段
７０  操作表示部
７１  液晶タッチパネル（液晶ディスプレイ）
７２  テンキー
７３  スタートキー
１００  制御部
１０１  ＣＰＵ
１１０  インターフェイス
【図１】
2005144927.tif 000003
【図２】
2005144927.tif 000004
【図３】
2005144927.tif 000005
【図４】
2005144927.tif 000006
【図５】
2005144927.tif 000007
【図６】
2005144927.tif 000008
【図７】
2005144927.tif 000009
【図８】
2005144927.tif 000010
【図９】
2005144927.tif 000011
【図１０】
2005144927.tif 000012
【図１１】
2005144927.tif 000013
【図１２】
2005144927.tif 000014